(57)【特許請求の範囲】
【請求項１】
外科用ステープルであって、該外科用ステープルは、
第一の近位部分と、第一の組織貫通先端部を有する第一の遠位部分とを有する第一の変形可能な脚部と、
第二の近位部分と、第二の組織貫通先端部を有する第二の遠位部分とを有する第二の変形可能な脚部と、
バックスパンと
を備え、
該バックスパンは、該第一の脚部の該第一の近位部分から延びる第一の横の部分と、該第二の脚部の該第二の近位部分から延びる第二の横の部分とを有し、
該第一の横の部分および該第二の横の部分は、それらの間にギャップを作り出すために、間隔をおいて配置され、
該バックスパンは、
第一の端部分と第二の端部分とを有する第三の横の部分であって、該第三の横の部分は、該第一の横の部分および該第二の横の部分から遠位方向に、かつ該ギャップの遠位方向に間隔をおいて配置されている、第三の横の部分と、
該第一の横の部分と該第三の横の部分の該第一の端部分との間に延びている第一の非直線のバックスパンの部分と、
該第二の横の部分と該第三の横の部分の該第二の端部分との間に延びている第二の非直線のバックスパンの部分と
をさらに含み、
該第三の横の部分は、該ステープルの適用の後に、組織の膨張を可能にするために、該第一の横の部分および該第二の横の部分に向かって曲がるように適合され、該第三の横の部分は、プッシャの少なくとも一部分を受容するための受容部分を含む、外科用ステープル。
【請求項２】
前記第一の横の部分および前記第二の横の部分は、実質的に同一の平面内にある、請求項１に記載の外科用ステープル。
【請求項３】
前記第三の横の部分は、前記第一の横の部分に対して実質的に並行である、請求項１または請求項２に記載の外科用ステープル。
【請求項４】
前記第一の脚部材は、前記第一の横の部分に対して実質的に垂直に延び、前記第二の脚部材は、前記第二の横の部分に対して実質的に垂直に延びている、請求項１〜請求項３のうちのいずれか一項に記載の外科用ステープル。
【請求項５】
前記第一の非直線のバックスパンの部分および前記第二の非直線のバックスパンの部分の各々は、実質的にまっすぐな部分を有するいくぶんＳ字形の外形を備えている、請求項１〜請求項４のうちのいずれか一項に記載の外科用ステープル。
【請求項６】
前記非直線のバックスパンの部分の各々は、横の領域によって結合された２つの遠位方向に延びる領域を備えている、請求項１〜請求項５のうちのいずれか一項に記載の外科用ステープル。
【請求項７】
外科用ステープルであって、該外科用ステープルは、
第一の近位部分と、第一の組織貫通先端部を有する第一の遠位部分とを有する第一の変形可能な脚部と、
第二の近位部分と、第二の組織貫通先端部を有する第二の遠位部分とを有する第二の変形可能な脚部と、
第一の領域と第二の領域とを有するバックスパンと
を備え、
該第一の領域は、該第一の脚部の近位部分から該第二の脚部に向かって内側に延びる第一の横の部分を有し、該第一の脚部の該第一の貫通先端部に向かって遠位方向に屈曲し、該第一の脚部に向かって戻るように屈曲し、該第一の脚部の遠位部分に向かって再び屈曲し、該第二の脚部に向かって内側に屈曲し、
該バックスパンの該第二の領域は、該第二の脚部の近位部分から該第一の脚部に向かって内側に延びる第二の横の部分を有し、該第二の脚部の第二の貫通先端部に向かって遠位方向に屈曲し、該第二の脚部に向かって戻るように屈曲し、該第二の脚部の遠位部分に向かって再び屈曲し、該第一の脚部に向かって内側に屈曲し、
該バックスパンの該第一の領域は、第三の領域において該バックスパンの該第二の領域に接続し、該第三の領域は、該ステープルの適用の後に、組織の膨張を可能にするために、該近位方向に曲がるように適合され、該第三の領域は、プッシャの少なくとも一部分を受容するための受容部分を含む、外科用ステープル。
【請求項８】
前記第一の脚部および前記第二の脚部の屈曲のうちの少なくとも１つは、約９０度である、請求項７に記載の外科用ステープル。
【請求項９】
前記バックスパンの前記第一の横の部分および前記第二の横の部分は、それらの間に形成されたギャップを有する、請求項７または請求項８に記載の外科用ステープル。
【請求項１０】
前記第一の脚部および前記第二の脚部は、アンビルポケットとの接触によって互いに向かって屈曲させられる、請求項１〜請求項９のうちのいずれか一項に記載の外科用ステープル。
【請求項１１】
外科用ステープラによって使用するステープルカートリッジであって、該ステープルカートリッジは、
互いに間隔をおいて配置された関係において支持されている複数の外科用ステープルを備え、
該複数の外科用ステープルの各々は、
プッシャと、
第一の近位部分と、第一の組織貫通先端部を有する第一の遠位部分とを有する第一の変形可能な脚部と、
第二の近位部分と、第二の組織貫通先端部を有する第二の遠位部分とを有する第二の変形可能な脚部と、
バックスパンと
を含み、
該バックスパンは、該第一の脚部の該第一の近位部分から延びる第一の横の部分と、該第二の脚部の該第二の近位部分から延びる第二の横の部分とを有し、
該第一の横の部分および該第二の横の部分は、それらの間にギャップを作り出すために、間隔をおいて配置され、
該バックスパンは、
第一の端部分と第二の端部分とを有する第三の横の部分であって、該第三の横の部分は、該第一の横の部分および該第二の横の部分から遠位方向に、かつ該ギャップの遠位方向に間隔をおいて配置されている、第三の横の部分と、
該第一の横の部分と該第三の横の部分の該第一の端部分との間に延びている第一の非直線のバックスパンの部分と、
該第二の横の部分と該第三の横の部分の該第二の端部分との間に延びている第二の非直線のバックスパンの部分と
をさらに含み、
該第三の横の部分は、該ステープルの適用の後に、組織の膨張を可能にするために、該第一の横の部分および該第二の横の部分に向かって曲がるように適合され、該第三の横の部分は、該プッシャの少なくとも一部分を受容するための受容部分を含む、ステープルカートリッジ。
【請求項１２】
前記バックスパンの前記第三の部分は、該バックスパンの前記第一の部分に対して実質的に並行であり、かつ、該バックスパンの前記第二の部分に対して実質的に並行である、請求項１１に記載のステープルカートリッジ。
【請求項１３】
前記プッシャは、前記ステープルバックスパンの第一の部分と第二の部分との間の前記ギャップを通って、前記第三の部分と接触するように前進可能であることにより、前記ステープル脚部を、組織を通って該ステープル脚部変形用のアンビルとの接触状態へと前進させる、請求項１１または請求項１２に記載のステープルカートリッジ。
【請求項１４】
前記プッシャの突出部は、前記第三の部分に接触し、前記ステープルの適用の間に該ステープルの所定の最大の動きまたは力が達成された後、該プッシャの表面部分は、該ステープルの肩部に接触することにより、前記ステープルバックスパンの第一の部分および第二の部分の過大な変形を避ける、請求項１１〜請求項１３のうちのいずれか一項に記載のステープルカートリッジ。
【請求項１５】
前記第一の脚部材および前記第二の脚部材は、未形成状態において実質的に並行であり、前記バックスパンの第三の部分は、該バックスパンの第一の部分および第二の部分に対して実質的に並行である、請求項１〜請求項１４のうちのいずれか一項に記載のステープルカートリッジ。
【発明の詳細な説明】
【技術分野】
【０００１】
（関連出願の引用）
本出願は、２００９年８月２０日に出願された仮出願第６１／２３５，３７２号に基づく優先権を主張するものであり、その内容全体は参考として本明細書中に援用される。
【０００２】
（技術分野）
本開示は、外科用ステープルに関し、より具体的には、変化する組織の圧縮に適応するように構成されている外科用ステープルに関する。
【背景技術】
【０００３】
外科用ステープルは、様々な医療処置（例えば、手術）の間に利用され得る高度に専門的なステープルである。皮膚損傷の縫合、腸の吻合、および肺の一部の摘出は、外科用ステープルが利用され得る様々なタイプの医療処置のほんの一部分である。
【０００４】
臨床医は、医療環境における慣習的な縫合方法に対する一般的な代替案として、外科用ステープラと、それに関連する外科用ステープルとに関心を向けてきた。処置の中に外科用ステープラを組み込むことは、臨床医が迅速に、かつ容易に組織を縫合することを可能にする。
【０００５】
現在のステープル留め技術は、第一の脚部および第二の脚部と、バックスパンとを有する複数の外科用ステープルを利用し得る。従来のほとんどの外科用ステープルがそうであるように、外科用ステープルが配置されるときには、外科用ステープルが組織を貫通して、ホールと、付随するステープルラインとを作り出す。捕捉された組織は、ステープルラインに沿って、外科用ステープルの脚部の間に配置される。捕捉され、離断された組織は、止血作用を起こして、離断された組織領域のまわりで体液の漏出を最小化する結果をもたらす。しかしながら、様々な厚さを通ってステープル留めすることに起因して、一部の領域の過剰圧縮、あるいは身体および／または他の正常な身体プロセス（例えば、治癒）における圧力変化を引き起こし、外科用ステープルの脚部の間に捕捉されていない組織が、外科用ステープルの脚部から伸び、引き離され得、そのことは、外科用ステープルによって作り出されたホール上の応力を引き起こし、かつ／または体液が漏出し得る経路を形成し得、その両方が次いで治癒プロセスを遅らせ得る。
【発明の概要】
【発明が解決しようとする課題】
【０００６】
従って、外科用ステープルが組織の中に配置された後、ステープルバックスパンの相対的動きを可能にする外科用ステープルは、特に、歪の緩和を可能にする方向における組織の変化に対して適応することに役立ち得る。
【課題を解決するための手段】
【０００７】
（概要）
本開示は、ステープル適用後、組織圧縮の量に比例する量で跳ね返るように構成され、かつ、そうするような寸法にされているバックスパンを有するステープルを有利に提供し、それによって、特定の処置における組織の引き裂きのリスクを有利に緩和し、低減する。従って、組織に適用されるステープルの全体の剛性が低減される。
【０００８】
より具体的には、本開示の一局面に従った、外科用ステープルが提供され、外科用ステープルは、第一の近位部分と第一の組織貫通先端部を有する第一の遠位部分とを有する第一の変形可能な脚部と、第二の近位部分と第二の組織貫通先端部を有する第二の遠位部分とを有する第二の変形可能な脚部とを有する。バックスパンは、第一の脚部の第一の近位部分から延びる第一の横の部分と、第二の脚部の第二の近位部分から延びる第二の横の部分とを有する。第一および第二の横の部分は、それらの間にギャップを作り出すために、間隔をおいて配置されている。バックスパンはさらに、第一の端部分と第二の端部分とを有する第三の横の部分を含み、第三の横の部分は、第一および第二の横の部分から遠位方向に、かつギャップの遠位方向に間隔をおいて配置されている。第一の非直線のバックスパンの部分は、第一の横の部分と第三の横の部分の第一の端部分との間に延び、第二の非直線のバックスパンの部分は、第二の横の部分と第三の横の部分の第二の端部分との間に延びている。
【０００９】
一実施形態において、第一および第二の横の部分は、実質的に同一の平面内にある。好適な実施形態において、第三の横の部分は、第一および第二の横の部分に対して実質的に並行である。一実施形態において、第一および第二の非直線のバックスパンの部分の各々は、実質的にまっすぐな部分と、実質的に９０度の屈曲とを有するいくぶんＳ字形の外形を備える。
【００１０】
本開示の別の局面に従った、外科用ステープルが提供され、外科用ステープルは、第一の近位部分と第一の組織貫通先端部を有する第一の遠位部分とを有する第一の変形可能な脚部と、第二の近位部分と第二の組織貫通先端部を有する第二の遠位部分とを有する第二の変形可能な脚部と、第一の領域と第二の領域とを有するバックスパンとを備えている。第一の領域は、第一の脚部の近位部分から第二の脚部に向かって内側に延びる第一の横の部分を有し、第一の脚部の第一の貫通先端部に向かって遠位方向に屈曲し、第一の脚部に向かって戻るように屈曲し、第一の脚部の遠位部分に向かって再び屈曲し、第二の脚部に向かって内側に屈曲する。バックスパンの第二の領域は、第二の脚部の近位部分から第一の脚部に向かって内側に延びる第二の横の部分を有し、第二の脚部の第二の貫通先端部に向かって遠位方向に屈曲し、第二の脚部に向かって戻るように屈曲し、第二の脚部の遠位部分に向かって再び屈曲し、第一の脚部に向かって内側に屈曲する。
【００１１】
好ましくは、第一および第二の脚部の屈曲のうちの少なくとも１つは、約９０度である。好適な実施形態において、バックスパンの第一および第二の横の部分は、それらの間に形成されたギャップを有する。
【００１２】
本開示はまた、外科用ステープラによって使用するステープルカートリッジを提供し、ステープルカートリッジは、互いに間隔をおいて配置された関係において支持されている複数の外科用ステープルを備え、外科用ステープルの各々は、第一の変形可能な脚部と、第二の変形可能な脚部と、第一および第二の脚部を結合するバックスパンとを含む。バックスパンは、第一の脚部から延びる第一の部分と、第二の脚部から延びる第二の部分とを有し、ステープルバックスパンの第一および第二の部分は、それらの間にギャップを形成するために、間隔をおいて配置されている。ステープルバックスパンの第三の部分は、第一および第二の部分の遠位に位置決めされている。複数のステープルプッシャは、ステープルバックスパンの第三の部分との接触状態へと移動可能である。
【００１３】
好適な実施形態において、バックスパンの第三の部分は、バックスパンの第一および第二の部分に対して実質的に並行である。
【００１４】
別の局面において、本開示は、外科用ステープルを組織に適用する方法を提供する。
【００１５】
方法は、脚部材から延びるステープルバックスパンの第一の部分を有する第一の変形可能な脚部材と、脚部材から延びるステープルバックスパンの第二の部分を有する第二の変形可能な脚部材と、第一の部分および第二の部分の遠位に位置決めされているステープルバックスパンの第三の部分とを有するステープルを提供することを包含し、ステープルバックスパンの第二の部分は、ステープルバックスパンの第一の部分から間隔をおいて配置されていることにより、それらの間にギャップを形成する。
【００１６】
方法はまた、ステープル脚部を、組織を通ってステープル脚部変形用のアンビルとの接触状態へと前進させるために、プッシャをステープルバックスパンの第一の部分と第二の部分との間のギャップを通って、第三の部分との接触状態へと前進させることを包含する。
【００１７】
一実施形態において、ギャップを通ってプッシャを前進させることは、プッシャの突出部を第三の部分に接触させ、ステープルの適用の間にステープルの所定の最大の動きまたは力が達成された後、プッシャの表面部分が、ステープルの肩部に接触することにより、ステープルバックスパンの第一の部分および第二の部分の過大な変形を避ける。
【００１８】
例えば、本開示は、以下を提供する。
（項目１）
外科用ステープルであって、
第一の近位部分と、第一の組織貫通先端部を有する第一の遠位部分とを有する第一の変形可能な脚部と、
第二の近位部分と、第二の組織貫通先端部を有する第二の遠位部分とを有する第二の変形可能な脚部と、
バックスパンと
を備え、
該バックスパンは、該第一の脚部の該第一の近位部分から延びる第一の横の部分と、該第二の脚部の該第二の近位部分から延びる第二の横の部分とを有し、
該第一の横の部分および該第二の横の部分は、それらの間にギャップを作り出すために、間隔をおいて配置され、
該バックスパンは、第一の端部分と第二の端部分とを有する第三の横の部分であって、
該第三の横の部分は、該第一の横の部分および該第二の横の部分から遠位方向に、かつ該ギャップの遠位方向に間隔をおいて配置されている、第三の横の部分と、
該第一の横の部分と該第三の横の部分の該第一の端部分との間に延びている第一の非直線のバックスパンの部分および該第二の横の部分と該第三の横の部分の該第二の端部分との間に延びている第二の非直線のバックスパンの部分とをさらに含む、
外科用ステープル。
（項目２）
上記第一の横の部分および上記第二の横の部分は、実質的に同一の平面内にある、上記項目のうちのいずれか一項目に記載の外科用ステープル。
（項目３）
上記第三の横の部分は、上記第一の横の部分に対して実質的に並行である、上記項目のうちのいずれか一項目に記載の外科用ステープル。
（項目４）
上記第一の脚部材は、上記第一の横の部分に対して実質的に垂直に延び、上記第二の脚部材は、上記第二の横の部分に対して実質的に垂直に延びている、上記項目のうちのいずれか一項目に記載の外科用ステープル。
（項目５）
上記第一の非直線のバックスパンの部分および上記第二の非直線のバックスパンの部分の各々は、実質的にまっすぐな部分を有するいくぶんＳ字形の外形を備えている、上記項目のうちのいずれか一項目に記載の外科用ステープル。
（項目６）
上記非直線のバックスパンの部分の各々は、横の領域によって結合された２つの遠位方向に延びる領域を備えている、上記項目のうちのいずれか一項目に記載の外科用ステープル。
（項目７）
外科用ステープルであって、
第一の近位部分と、第一の組織貫通先端部を有する第一の遠位部分とを有する第一の変形可能な脚部と、
第二の近位部分と、第二の組織貫通先端部を有する第二の遠位部分とを有する第二の変形可能な脚部と、
第一の領域と第二の領域とを有するバックスパンと
を備え、
該第一の領域は、該第一の脚部の近位部分から該第二の脚部に向かって内側に延びる第一の横の部分を有し、該第一の脚部の該第一の貫通先端部に向かって遠位方向に屈曲し、該第一の脚部に向かって戻るように屈曲し、該第一の脚部の遠位部分に向かって再び屈曲し、該第二の脚部に向かって内側に屈曲し、
該バックスパンの該第二の領域は、該第二の脚部の近位部分から該第一の脚部に向かって内側に延びる第二の横の部分を有し、該第二の脚部の第二の貫通先端部に向かって遠位方向に屈曲し、該第二の脚部に向かって戻るように屈曲し、該第二の脚部の遠位部分に向かって再び屈曲し、該第一の脚部に向かって内側に屈曲する、
外科用ステープル。
（項目８）
上記第一の脚部および上記第二の脚部の屈曲のうちの少なくとも１つは、約９０度である、上記項目のうちのいずれか一項目に記載の外科用ステープル。
（項目９）
上記バックスパンの上記第一の横の部分および上記第二の横の部分は、それらの間に形成されたギャップを有する、上記項目のうちのいずれか一項目に記載の外科用ステープル。
（項目１０）
上記第一の脚部および上記第二の脚部は、アンビルポケットとの接触によって互いに向かって屈曲させられる、上記項目のうちのいずれか一項目に記載の外科用ステープル。
（項目１１）
外科用ステープラによって使用するステープルカートリッジであって、該ステープルカートリッジは、
互いに間隔をおいて配置された関係において支持されている複数の外科用ステープルを備え、該外科用ステープルの各々は、
第一の変形可能な脚部と、
第二の変形可能な脚部と、
バックスパンと
を含み、
該第一の脚部および該第二の脚部は、該バックスパンから延び、
該バックスパンは、該第一の脚部から延びる第一の部分および該第二の脚部から延びる第二の部分であって、
該第一の部分および該第二の部分は、該第一の脚部と該第二の脚部とを結合し、
該ステープルバックスパンの該第一の部分および該第二の部分は、それらの間にギャップを形成するために、間隔をおいて配置されている、第一の部分および第二の部分と、
該第一の部分および該第二の部分の遠位に位置決めされている該ステープルバックスパンの第三の部分とを有する、
ステープルカートリッジ。
（項目１２）
上記バックスパンの上記第三の部分は、該バックスパンの上記第一の部分に対して実質的に並行であり、かつ、該バックスパンの上記第二の部分に対して実質的に並行である、上記項目のうちのいずれか一項目に記載のステープルカートリッジ。
（項目１３）
プッシャをさらに備え、該プッシャは、上記ステープルバックスパンの第一の部分と第二の部分との間の上記ギャップを通って、上記第三の部分との接触状態へと前進可能であることにより、上記ステープル脚部を、組織を通って該ステープル脚部変形用のアンビルとの接触状態へと前進させる、上記項目のうちのいずれか一項目に記載のステープルカートリッジ。
（項目１４）
上記プッシャの突出部は、上記第三の部分に接触し、上記ステープルの適用の間に該ステープルの所定の最大の動きまたは力が達成された後、該プッシャの表面部分は、該ステープルの肩部に接触することにより、上記ステープルバックスパンの第一の部分および第二の部分の過大な変形を避ける、上記項目のうちのいずれか一項目に記載のステープルカートリッジ。
（項目１５）
上記第一の脚部材および上記第二の脚部材は、未形成状態において実質的に並行であり、上記バックスパンの第三の部分は、該バックスパンの第一の部分および第二の部分に対して実質的に並行である、上記項目のうちのいずれか一項目に記載のステープルカートリッジ。
（項目１２ａ）
上記バックスパンの第三の部分は、該バックスパンの第一の部分に対して実質的に並行である、上記項目のうちのいずれか一項目に記載の外科用ステープル。
（項目１３ａ）
上記バックスパンの第三の部分は、該バックスパンの第二の部分に対して実質的に並行である、上記項目のうちのいずれか一項目に記載の外科用ステープル。
（項目１４ａ）
上記バックスパンの第三の部分は、該バックスパンの第一の部分に対して実質的に並行である、上記項目のうちのいずれか一項目に記載の外科用ステープル。
（項目１５ａ）
上記第一の脚部材および上記第二の脚部材の各々は、組織貫通先端部を含む、上記項目のうちのいずれか一項目に記載の外科用ステープル。
（項目１６ａ）
外科用ステープルを組織に適用する方法であって、
ステープルを提供することであって、
該ステープルは、脚部材から延びるステープルバックスパンの第一の部分を有する第一の変形可能な脚部材と、脚部材から延びる該ステープルバックスパンの第二の部分を有する第二の変形可能な脚部材であって、該ステープルバックスパンの第二の部分は、該ステープルバックスパンの第一の部分から間隔をおいて配置されていることにより、それらの間にギャップを形成する、第二の変形可能な脚部材と、該第一の部分および該第二の部分の遠位に位置決めされている該ステープルバックスパンの第三の部分とを有する、ことと、
プッシャを前進させることであって、
該ステープル脚部材を、組織を通って該ステープル脚部材変形用のアンビルとの接触状態へと前進させるために、該プッシャは、該ステープルバックスパンの第一の部分と第二の部分との間の該ギャップを通り、第三の部分と接触する、ことと
を包含する、方法。
（項目１７ａ）
上記ギャップを通って上記プッシャを前進させることは、該プッシャの突出部を上記第三の部分に接触させ、上記ステープルの適用の間に該ステープルの所定の最大の動きまたは力が達成された後、該プッシャの表面部分は、該ステープルの肩部に接触することにより、上記ステープルバックスパンの第一の部分および第二の部分の過大な変形を避ける、上記項目のうちのいずれか一項目に記載の方法。
（項目１８ａ）
上記ステープルを提供することは、上記第一の脚部材および上記第二の脚部材が未形成状態において実質的に並行である上記ステープルを提供することを含む、上記項目のうちのいずれか一項目に記載の方法。
（項目１９ａ）
上記ステープルを提供することは、上記バックスパンの第三の部分が、該バックスパンの第一の部分および第二の部分に対して実質的に並行である上記ステープルを提供することを含む、上記項目のうちのいずれか一項目に記載の方法。
【００１９】
（摘要）
外科用ステープルは、第一の変形可能な脚部と、第二の変形可能な脚部と、第一の横の部分および第二の横の部分を有するバックスパンとを備え、第一および第二の横の部分は、それらの間にギャップを作り出すために、間隔をおいて配置されている。バックスパンは、第一および第二の横の部分から遠位方向に、かつギャップの遠位方向に間隔をおいて配置されている第三の横の部分をさらに含む。第一の非直線のバックスパンの部分は、第一の横の部分と第三の横の部分の第一の端部分との間に延び、第二の非直線のバックスパンの部分は、第二の横の部分と第三の横の部分の第二の端部分との間に延びている。
【図面の簡単な説明】
【００２０】
ここに開示されているデバイスの様々な実施形態が、図面を参照して本明細書中に記載される。
【図１】図１は、本開示の外科用ステープルを利用する一タイプの外科用器具の斜視図である。
【図２】図２は、４つのステープルの列を有する、図１の器具のカートリッジアセンブリの分解図である。
【図３】図３は、本開示のステープルおよびステープルプッシャの拡大図である。
【図４】図４は、未形成状態の外科用ステープルの側面図である。
【図５】図５は、組織に適用されている図４のステープルの部分断面側面図である。
【図６】図６は、組織の力に応答した状態のバックスパンの動きを示している図５に類似する図である。
【発明を実施するための形態】
【００２１】
本開示において、本明細書中に開示されているステープルは、オープン用ステープラおよび腹腔鏡的／内視鏡的ステープラを含む円形吻合ステープラ、直線形ステープラ、横形ステープラなどの様々なステープル留め器具によって利用され得ることが想定される。図１は、本開示の外科用ステープルを適用するために用いられ得る一タイプの外科用器具を例として提供し、図２は、外科用ステープルを含んでいるステープラ１０のカートリッジを例示する。器具１０は、米国特許第７，１４０，５２７号（その内容全体は参考として本明細書中に援用される）に開示されている器具などのオープン外科用直線形ステープラである。図１を参照すると、ステープラ１０は、カートリッジアセンブリ１２と、アンビルアセンブリ１４と、摺動可能なノブ２６とを有することにより、ステープルプッシャを接触させるためのカムバーを前進させて、ステープルをカートリッジアセンブリ１２からアンビルアセンブリ１４のアンビルとの接触状態へと前進させる。
【００２２】
図面において、および以下の説明においては、慣習的であるように、用語「近位」が、オペレータにより近い本開示の外科用デバイスまたは器具の端部を表し、一方で、用語「遠位」が、オペレータからより遠いデバイスまたは器具の端部を表している。
【００２３】
図２を参照すると、外科用ステープル留めカートリッジアセンブリ１２が例示され、カートリッジアセンブリ１２は、ステープル列の間の組織を切断するためのナイフの遠位方向の動きに適応するために、間にナイフスロット２４を有する複数のステープルスロット２２を有するカートリッジ１６を有する。示されているカートリッジ１６においては、ナイフスロット２４の各々の側に２つの並行するステープルスロット２２の列が存在するが、異なる数のステープルスロットが、ステープルの異なる列の構成に適応するために提供され得ることが認識されるべきである。例えば、１つの列のステープル（およびステープルスロット）または３つの列のステープルが、ナイフスロットの各々の側に提供され得る。ステープルは、概して参照番号３０によって示され、ステープルプッシャは、概して参照番号８０によって示されている。ステープラ１０の動作（例えば、カートリッジとアンビルアセンブリとのクランプ動作、およびステープルを発射する発射ノブの前進動作）の詳細は、上で参考として本明細書中に援用された米国特許第７，１４０，５２７号に開示されている。
【００２４】
図３および図４を参照すると、ステープル３０がここで記載される。ステープルは、丸い断面のステンレス鋼ワイヤから好ましくは構成されるが、他の材料とワイヤ形状とが想定される。ステープル３０は、バックスパン５０によって結合された一対の脚部３２、４２を一般に備え、バックスパン５０は、間隔をおいて配置された第一および第二の近位の横の部分５２および６２と、第一および第二の横の部分５２、６２から遠位方向に間隔をおいて配置され、第一および第二の横の部分５２、６２の間の空間（ギャップ）７０を通過する下記のステープルプッシャ８０によってアクセス可能である第三の横の領域５９とを有する。
【００２５】
より具体的には、ステープル３０は、第一の変形可能な脚部３２と第二の変形可能な脚部４２とを有する。バックスパン５０は、説明の都合上、ステープル脚部３２と関連づけられる第一の領域５１と、ステープル脚部４２と関連づけられる第二の領域６１とに分割されている。好ましくは、バックスパン領域５１および６１は、一体であり、単一のワイヤから形成されるようにステープル脚部３２、４２と一体である。各々の脚部３２、４２は、組織を貫通するように構成されている遠位の先端部３４、４４において、それぞれ終端する。第一の脚部３２の近位部分３５は、バックスパン５０の第一の横のバックスパンの部分５２へと移行する。同様に、第二の脚部４２の近位部分４５は、バックスパン５０の第二の横のバックスパンの部分６２へと移行する。第一および第二のバックスパンの部分５２、６２は、上記のバックスパン領域５１、６１のそれぞれ一部分である。好ましくは、ステープル脚部３２、４２は、それぞれのバックスパンの部分に対して実質的に垂直に延び、互いに対して実質的に並行に延びている。しかしながら、脚部が収束するかまたは発散し、それによって、示されている約９０度とは異なる角度で脚部がバックスパンの部分から延びることもまた想定される。
【００２６】
第一の横のバックスパンの部分５２は、第二の脚部４２に向かって内側に延び、そして、脚部３２の遠位の先端部３４に向かって部分５４で遠位方向に延び、そして、部分５５で第一の脚部３２に向かって内側から後戻りに延び、そして、部分５６で遠位方向に延び、それから、部分５７で第二の脚部４２に向かって内側に延びている。これらの部分は、第一のバックスパン領域５１の一部分と考えられ得る。
【００２７】
バックスパン５０の第二のバックスパン領域６１は、第一のバックスパン領域５１の鏡像である。さらに具体的には、第二の横のバックスパンの部分６２は、第一の脚部３２に向かって内側に延び、そして、脚部４２の遠位の先端部４４に向かって部分６４で遠位方向に延び、そして、部分６５で第二の脚部４２に向かって内側から後戻りに延び、そして、部分６６で遠位方向に延び、それから、部分６７で第一の脚部３２に向かって内側に延びている。これらの部分は、第二のバックスパン領域６１の一部分と考えられ得る。
【００２８】
別の方法で述べると、第一のバックスパン領域５１は、いくぶんＳ字形の領域によって、第三の横の領域５９の部分５７に接続された第一の横の部分５２を有し、第二のバックスパン領域６１は、いくぶんＳ字形の領域によって、第三の横の領域５９の部分６７に接続された第二の横の部分６２を有する。部分５７および６７は、示されているように、第三の横の領域５９が実質的に直線で、連続的であるように好ましくは結合される。第一の横の部分５２と第二の横の部分６２とが好ましくは、実質的に直線で、間隔をおいて配置されて、それらの間にギャップ７０を形成する。このギャップ７０は、下記のように、ステープルプッシャ８０の、第三の横の領域５９へのアクセスを可能にする。
【００２９】
第一および第二のバックスパン領域５１および６１の様々な部分における屈曲は好ましくは、実質的に直線部分を有するように約９０度で形成され、従って、実質的に直線部分および約９０度の角度を有するいくぶんＳ字形を有する。異なる角度によって結合されている曲線および／または領域を有する領域もまた想定される。
【００３０】
カートリッジアセンブリ１２のプッシャ８０は、ステープルスロット２２に隣接して位置決めされ、個々のステープル３０をアンビルアセンブリ１４のアンビルと係合するように前進させるように構成されている。複数のカムバー（図示されていない）が、カートリッジアセンブリ１２内に含まれており、摺動ノブ２６によって遠位方向に移動可能である。カムバーがステープルプッシャ８０の斜めの内側表面８１を係合するので、プッシャ８０が、ステープルスロット２２に向かって前進させられることにより、ステープル３０をカートリッジ１６からアンビルとの接触状態へと前進させ、ステープル脚部３２、４２が、アンビルポケットに接触し、お互いに向かって曲がるようにアンビルポケットによって変形させられる。プッシャ８０の突出フィンガ８２は、ステープル３０の第一および第二の横の部分５２、６２の間のギャップ７０を通過し、第三の横の領域５９との接触に、好ましくは、図５に示されるような実質的にそれの中央の領域内に進む。肩部（すなわち、ステープル脚部への移行部に隣接するバックスパン領域）ではなく中央領域に接触することによって、ステープル３０は、バックスパン５０が組織を圧縮し、その後の曲がりを可能にするように位置決めされた状態で組織の中に配置される。すなわち、ステープル３０の適用後、組織が膨張したり、伸びたりする場合には、バックスパン５０が曲がることにより、組織の動きに適応する。このことは、例えば、図５と図６とを比較することによって示される。
【００３１】
図５は、ステープルプッシャ８０によるステープル３０の適用を示している。プッシャ８０は、最大の所定の量の動き／力がフィンガ８２によって領域５９に適用された後、プッシャ８０の表面８３ａ、８３ｂが肩部（すなわち、脚部３２、４２に隣接するバックスパン５０の横の部分５２、６２の部分）と接触し、従って、ステープル適用の間、屈曲要素の過大な変形を避けるように構成されている。
【００３２】
図６は、ステープル適用後、組織Ｔによってバックスパンが近位方向に動く場合のバックスパン５０の曲がりを示している。より具体的には、バックスパン５０の屈曲領域に起因して、第三の横の領域５９が、第一および第二の横の部分５２、６２のそれぞれに向かって曲がり得ることにより、組織の膨張（組織の押し戻し）を可能にする。第一および第二の横の部分５２、６２はまた、形成されたステープル脚部３２、４２から離れる方向に曲がり得、組織の伸び／膨張に対する余地を提供する。従って、ステープル３０のバックスパン５０のコンプライアンス／ばね反応性は、ステープルへの組織の押し戻しに適応する。換言すると、ステープルの剛性は、その脚部ではなく、複数の曲がりを有するばねのようなバックスパンによってほぼ決定され、組織圧縮の量によって決定され、かつ、その量に比例する量だけステープルが跳ね返るので、それによって、より一定に近い力／圧力を組織上に加えることができるので、特定の用途における引き裂きのリスクを緩和し、低減する。
【００３３】
本開示のいくつかの実施形態が、図面中に示され、かつ／または本明細書において論じられてきたが、本開示は、当該分野が許容するような広い範囲であり、本明細書は、同じように読み取られることが意図されているので、本開示がそれらの実施形態に限定されることは意図されていない。従って、上記の説明は限定としてではなく単に特定の実施形態の例示として解釈されるべきである。当業者は、添付の特許請求の範囲の精神および範囲の内において他の修正を想定するであろう。
【符号の説明】
【００３４】
１０  ステープラ
１２  カートリッジアセンブリ
１４  アンビルアセンブリ
１６  カートリッジ
２２  ステープルスロット
２４  ナイフスロット
２６  摺動可能なノブ
３０  ステープル
３２  第一の脚部
４２  第二の脚部
５０  バックスパン
５１  第一の領域
５２  第一の横の部分
５９  第三の横の部分（または第三の横の領域）
６１  第二の領域
６２  第二の横の部分
７０  ギャップ
８０  ステープルプッシャ
８２  突出フィンガ
【図１】
0005641812.tif 000002
【図２】
0005641812.tif 000003
【図３】
0005641812.tif 000004
【図４】
0005641812.tif 000005
【図５】
0005641812.tif 000006
【図６】
0005641812.tif 000007